(57)【特許請求の範囲】
【請求項１】
主体を含み、前記主体の中には洗浄空間が設置され、前記洗浄空間の左右側壁には貯水空間が対称的に設置され、前記洗浄空間の底部には排水できる排水空間が対称的に設置され、前記洗浄空間の底壁にはプーリ空間が設置され、前記プーリ空間の下側には歯車空間が設置され、前記歯車空間の右側にはラチェット歯車空間が設置され、前記歯車空間と前記洗浄空間との中にはバスケットボールを洗浄できる洗浄装置が設置され、
前記洗浄装置は前記歯車空間の底壁に固定的に装着された伝動モーターを含み、前記伝動モーターには伝動ロッドが伝動できるように連結され、前記伝動ロッドが前記歯車空間の頂壁と回転できるように連結され、前記伝動ロッドの頂側には第一歯車が固定的に設置され、前記歯車空間の左側頂壁と前記プーリ空間の底壁との間には洗浄長ロッドが回転できるように連結され、前記洗浄長ロッドが上方に前記プーリ空間を貫通して前記洗浄空間の中に入り、且つ前記洗浄空間の上下側壁と回転できるように連結され、前記洗浄長ロッドの下側には前記第一歯車と噛み合った第二歯車が固定的に設置され、前記洗浄長ロッドの中部には第一ベルトプーリが固定的に設置され、前記プーリ空間の底壁と前記洗浄空間の頂壁との間には前記洗浄長ロッドと相対した洗浄短ロッドが回転できるように連結され、前記洗浄短ロッドが上方に前記プーリ空間の頂壁を貫通して前記洗浄空間の中に入り、且つ前記洗浄空間の頂壁と回転できるように連結され、前記洗浄短ロッドの下側には前記第一ベルトプーリと相対した第二ベルトプーリが設置され、前記第二ベルトプーリと前記第一ベルトプーリとの間にはベルトが連結され、前記洗浄長ロッドと前記洗浄短ロッドとの上側にはそれぞれ対称の洗浄車輪が固定的に設置され、前記貯水空間と前記洗浄空間との間には送水スポンジが左右対称的に設置され、前記送水スポンジが前記洗浄車輪と接触して前記洗浄車輪に洗浄剤を輸送でき、
前記洗浄空間の底壁には伝送空間が連通するように設置され、前記伝送空間の後側にはバスケットボールを並べられる並べ空間が設置され、前記伝送空間の右側には前記並べ空間に連通した伝送口が設置され、前記並べ空間と前記ラチェット歯車空間との間にはバスケットボールを送り出せる伝送装置が設置され、前記歯車空間の左側には圧力かけ空間が設置され、前記圧力かけ空間の下側には開口空間が設置され、前記圧力かけ空間と前記開口空間との間には床にある埃やゴミを掃除できる拭き装置が設置され、前記開口空間の左右両側には互いに対称の第一ローラー空間が設置され、前記主体の底部の後側には転向ブロックが設置され、前記転向ブロックの中には本装置の移動を制御できる転向装置が設置され、前記転向ブロックの前側の底部には本装置の運動を駆動できる駆動装置が設置されていることを特徴とする屋内バスケットボールコート用のバスケットボールを自動で洗浄して並べる装置。
【請求項２】
前記伝送装置はラチェット歯車モーターと、ラチェット歯車ロッドと、貫通ロッドと、ラチェット歯車と、並べロッドと、出口と、短ロッドと、伝送プーリとによって構成され、前記ラチェット歯車空間の後側壁には前記ラチェット歯車モーターが固定的に装着され、前記ラチェット歯車には前記ラチェット歯車ロッドが伝動できるように連結され、前記ラチェット歯車空間の前後側壁には前記貫通ロッドが回転できるように連結され、前記貫通ロッドが後方に前記ラチェット歯車空間の後側壁を貫通して前記並べ空間に入り、且つ前記並べ空間の前後側壁と回転できるように連結され、前記ラチェット歯車ロッドと前記貫通ロッドとの間には前記貫通ロッドの回転を駆動できる前記ラチェット歯車が設置され、前記並べ空間の中にはバスケットボールを並べられる前記並べロッドが固定的に設置され、前記並べ空間の右側にはバスケットボールを送り出す前記出口が設置され、前記並べ空間の前後側壁には前記貫通ロッドと回転できるように連結された対称の前記短ロッドが回転できるように連結され、前記貫通ロッドと前記短ロッドとにはそれぞれ第三ベルトプーリが設置され、二つの前記第三ベルトプーリの間には前記伝送プーリが連結されていることを特徴とする請求項１に記載の屋内バスケットボールコート用のバスケットボールを自動で洗浄して並べる装置。
【請求項３】
前記拭き装置は固定ロッドと、固定板と、拭きスポンジと、ウォームと、ウォームホイールと、第二傘歯車と、貫通空間と、ホースとによって構成され、前記開口空間の頂壁には前記固定ロッドが左右対称的に、且つ固定的に装着され、前記固定ロッドの下側には前記固定板が連結され、前記固定板が前記伝動ロッドと回転できるように連結され、前記伝動ロッドの底側には床にある埃やゴミを掃除できる前記拭きスポンジが固定的に連結され、前記拭きスポンジが前記固定板とスライドできるように連結され、前記歯車空間の左側壁と前記圧力かけ空間の右側壁との間には前記ウォームが回転できるように連結され、前記ウォームの左側には前記圧力かけ空間とスライドできるように連結された前記ウォームホイールがネジ山によって連結され、前記ウォームの右側には第一傘歯車が固定的に設置され、前記伝動ロッドの中部には前記第一傘歯車と噛み合った前記第二傘歯車が固定的に設置され、前記圧力かけ空間の右側には前記貫通空間が連通するように設置され、前記貫通空間と前記固定板との間には前記ホースが連結され、前記ホースが前記固定板を貫通して前記拭きスポンジと連結されていることを特徴とする請求項１に記載の屋内バスケットボールコート用のバスケットボールを自動で洗浄して並べる装置。
【請求項４】
前記転向装置は転向モーターと、転向ロッドと、転向板と、第三歯車と、短ロッドと、第四歯車と、方向定めロッドと、第五歯車と、回転ロッドと、転向ローラーとによって構成され、前記主体の底側には前記転向モーターが固定的に装着され、前記転向モーターには前記転向ロッドが伝動できるように連結され、前記転向ロッドの中部には前記転向板が回転できるように連結され、前記転向ロッドの頂部には前記第三歯車が固定的に連結され、前記転向板の中部には前記短ロッドが固定的に連結され、前記短ロッドの頂部には前記第三歯車と噛み合った前記第四歯車が回転できるように連結され、前記転向ブロックの前側面には前記方向定めロッドが固定的に連結され、前記方向定めロッドが前記転向板と回転できるように連結され、前記方向定めロッドの頂部には前記第四歯車と噛み合った前記第五歯車が固定的に連結され、前記転向ブロックの底側面には第二ローラー空間が左右対称的に設置され、各前記第二ローラー空間の中には前記第二ローラー空間の左右側壁と回転できるように連結された前記回転ロッドが設置され、各前記回転ロッドには前記転向ローラーが固定的に設置されていることを特徴とする請求項１に記載の屋内バスケットボールコート用のバスケットボールを自動で洗浄して並べる装置。
【請求項５】
前記駆動装置は動力モーターと、駆動長ロッドと、駆動ローラーとによって構成され、前記主体の底部には動力モーターが固定的に装着され、前記動力モーターには前記駆動長ロッドが伝動できるように連結され、前記駆動長ロッドの左右両側がそれぞれ片側へ伸びて対応した前記第一ローラー空間の中に入り、且つ前記第一ローラー空間の左右側壁と回転できるように連結され、前記駆動長ロッドの両側には互いに対称の前記駆動ローラーが固定的に連結されていることを特徴とする請求項１に記載の屋内バスケットボールコート用のバスケットボールを自動で洗浄して並べる装置。
【請求項６】
前記主体の頂部には収集口を広げる収集ロッドが設置され、前記収集ロッドには収集網が固定的に設置されていることを特徴とする請求項１に記載の屋内バスケットボールコート用のバスケットボールを自動で洗浄して並べる装置。
【請求項７】
前記洗浄車輪は柔軟なウール製のであり、湿度が低く、前記送水スポンジの加水量が小さく、前記主体の両側には水を受けられる水受け皿が固定的に設置されていることを特徴とする請求項１に記載の屋内バスケットボールコート用のバスケットボールを自動で洗浄して並べる装置。
【請求項８】
前記拭きスポンジは軟質の刷毛であることを特徴とする請求項３に記載の屋内バスケットボールコート用のバスケットボールを自動で洗浄して並べる装置。
【請求項９】
前記ラチェット歯車の作動は間欠的であることを特徴とする請求項２に記載の屋内バスケットボールコート用のバスケットボールを自動で洗浄して並べる装置。
【発明の詳細な説明】
【技術分野】
【０００１】
本発明はバスケットボール設備分野に関わり、具体的には屋内バスケットボールコート用のバスケットボールを自動で洗浄して並べる装置である。
【背景技術】
【０００２】
現在、社会の発展につれ、運動と保養は人に重視される一部になってきた。バスケットボールは主流のスポーツとして人々の日常生活に入り、屋内バスケットボールコートも日常運動の非常重要な一部になってきた。今、人は屋内バスケットボールコートでトレーニングした後に、自分でバスケットボールをボール貯蔵エリアに置く必要があり、激しく運動した人は長い距離歩いてバスケットボールを置くことが億劫だと思っているため、トレーニングの後にバスケットボールコートにバスケットボールが散らかり、人で整理してバスケットボールコートの床にある埃やゴミを掃除する必要がある。従って、自動でバスケットボールを洗浄して並べることができる装置をデザインする必要がある。
【先行技術文献】
【特許文献】
【０００３】
【特許文献１】中国特許出願公開第１０８６０７２１１号明細書
【発明の概要】
【発明が解決しようとする課題】
【０００４】
本発明は屋内バスケットボールコート用のバスケットボールを自動で洗浄して並べる装置を提供し、既存技術にある上記の欠点を解消することを目的とする。
【課題を解決するための手段】
【０００５】
上記の目的を実現するため、本発明は以下の技術プランを提供する：屋内バスケットボールコート用のバスケットボールを自動で洗浄して並べる装置は、主体を含み、前記主体の中には洗浄空間が設置され、前記洗浄空間の左右側壁には貯水空間が対称的に設置され、前記洗浄空間の底部には排水できる排水空間が対称的に設置され、前記洗浄空間の底壁にはプーリ空間が設置され、前記プーリ空間の下側には歯車空間が設置され、前記歯車空間の右側にはラチェット歯車空間が設置され、前記歯車空間と前記洗浄空間との中にはバスケットボールを洗浄できる洗浄装置が設置されている。
【０００６】
前記洗浄装置は前記歯車空間の底壁に固定的に装着された伝動モーターを含み、前記伝動モーターには伝動ロッドが伝動できるように連結され、前記伝動ロッドが前記歯車空間の頂壁と回転できるように連結され、前記伝動ロッドの頂側には第一歯車が固定的に設置され、前記歯車空間の左側頂壁と前記プーリ空間の底壁との間には洗浄長ロッドが回転できるように連結され、前記洗浄長ロッドが上方に前記プーリ空間を貫通して前記洗浄空間の中に入り、且つ前記洗浄空間の上下側壁と回転できるように連結され、前記洗浄長ロッドの下側には前記第一歯車と噛み合った第二歯車が固定的に設置され、前記洗浄長ロッドの中部には第一ベルトプーリが固定的に設置され、前記プーリ空間の底壁と前記洗浄空間の頂壁との間には前記洗浄長ロッドと相対した洗浄短ロッドが回転できるように連結され、前記洗浄短ロッドが上方に前記プーリ空間の頂壁を貫通して前記洗浄空間の中に入り、且つ前記洗浄空間の頂壁と回転できるように連結され、前記洗浄短ロッドの下側には前記第一ベルトプーリと相対した第二ベルトプーリが設置され、前記第二ベルトプーリと前記第一ベルトプーリとの間にはベルトが連結され、前記洗浄長ロッドと前記洗浄短ロッドとの上側にはそれぞれ対称の洗浄車輪が固定的に設置され、前記貯水空間と前記洗浄空間との間には送水スポンジが左右対称的に設置され、前記送水スポンジが前記洗浄車輪と接触して前記洗浄車輪に洗浄剤を輸送できる。
【０００７】
前記洗浄空間の底壁には伝送空間が連通するように設置され、前記伝送空間の後側にはバスケットボールを並べられる並べ空間が設置され、前記伝送空間の右側には前記並べ空間に連通した伝送口が設置され、前記並べ空間と前記ラチェット歯車空間との間にはバスケットボールを送り出せる伝送装置が設置され、前記歯車空間の左側には圧力かけ空間が設置され、前記圧力かけ空間の下側には開口空間が設置され、前記圧力かけ空間と前記開口空間との間には床にある埃やゴミを掃除できる拭き装置が設置され、前記開口空間の左右両側には互いに対称の第一ローラー空間が設置され、前記主体の底部の後側には転向ブロックが設置され、前記転向ブロックの中には本装置の移動を制御できる転向装置が設置され、前記転向ブロックの前側の底部には本装置の運動を駆動できる駆動装置が設置されている。
【０００８】
好ましくは、前記伝送装置はラチェット歯車モーターと、ラチェット歯車ロッドと、貫通ロッドと、ラチェット歯車と、並べロッドと、出口と、短ロッドと、伝送プーリとによって構成され、前記ラチェット歯車空間の後側壁には前記ラチェット歯車モーターが固定的に装着され、前記ラチェット歯車には前記ラチェット歯車ロッドが伝動できるように連結され、前記ラチェット歯車空間の前後側壁には前記貫通ロッドが回転できるように連結され、前記貫通ロッドが後方に前記ラチェット歯車空間の後側壁を貫通して前記並べ空間に入り、且つ前記並べ空間の前後側壁と回転できるように連結され、前記ラチェット歯車ロッドと前記貫通ロッドとの間には前記貫通ロッドの回転を駆動できる前記ラチェット歯車が設置され、前記並べ空間の中にはバスケットボールを並べられる前記並べロッドが固定的に設置され、前記並べ空間の右側にはバスケットボールを送り出す前記出口が設置され、前記並べ空間の前後側壁には前記貫通ロッドと回転できるように連結された対称の前記短ロッドが回転できるように連結され、前記貫通ロッドと前記短ロッドとにはそれぞれ第三ベルトプーリが設置され、二つの前記第三ベルトプーリの間には前記伝送プーリが連結されている。
【０００９】
好ましくは、前記拭き装置は固定ロッドと、固定板と、拭きスポンジと、ウォームと、ウォームホイールと、第二傘歯車と、貫通空間と、ホースとによって構成され、前記開口空間の頂壁には前記固定ロッドが左右対称的に、且つ固定的に装着され、前記固定ロッドの下側には前記固定板が連結され、前記固定板が前記伝動ロッドと回転できるように連結され、前記伝動ロッドの底側には床にある埃やゴミを掃除できる前記拭きスポンジが固定的に連結され、前記拭きスポンジが前記固定板とスライドできるように連結され、前記歯車空間の左側壁と前記圧力かけ空間の右側壁との間には前記ウォームが回転できるように連結され、前記ウォームの左側には前記圧力かけ空間とスライドできるように連結された前記ウォームホイールがネジ山によって連結され、前記ウォームの右側には第一傘歯車が固定的に設置され、前記伝動ロッドの中部には前記第一傘歯車と噛み合った前記第二傘歯車が固定的に設置され、前記圧力かけ空間の右側には前記貫通空間が連通するように設置され、前記貫通空間と前記固定板との間には前記ホースが連結され、前記ホースが前記固定板を貫通して前記拭きスポンジと連結されている。
【００１０】
好ましくは、前記転向装置は転向モーターと、転向ロッドと、転向板と、第三歯車と、短ロッドと、第四歯車と、方向定めロッドと、第五歯車と、回転ロッドと、転向ローラーとによって構成され、前記主体の底側には前記転向モーターが固定的に装着され、前記転向モーターには前記転向ロッドが伝動できるように連結され、前記転向ロッドの中部には前記転向板が回転できるように連結され、前記転向ロッドの頂部には前記第三歯車が固定的に連結され、前記転向板の中部には前記短ロッドが固定的に連結され、前記短ロッドの頂部には前記第三歯車と噛み合った前記第四歯車が回転できるように連結され、前記転向ブロックの前側面には前記方向定めロッドが固定的に連結され、前記方向定めロッドが前記転向板と回転できるように連結され、前記方向定めロッドの頂部には前記第四歯車と噛み合った前記第五歯車が固定的に連結され、前記転向ブロックの底側面には第二ローラー空間が左右対称的に設置され、各前記第二ローラー空間の中には前記第二ローラー空間の左右側壁と回転できるように連結された前記回転ロッドが設置され、各前記回転ロッドには前記転向ローラーが固定的に設置されている。
【００１１】
好ましくは、前記駆動装置は動力モーターと、駆動長ロッドと、駆動ローラーとによって構成され、前記主体の底部には動力モーターが固定的に装着され、前記動力モーターには前記駆動長ロッドが伝動できるように連結され、前記駆動長ロッドの左右両側がそれぞれ片側へ伸びて対応した前記第一ローラー空間の中に入り、且つ前記第一ローラー空間の左右側壁と回転できるように連結され、前記駆動長ロッドの両側には互いに対称の前記駆動ローラーが固定的に連結されている。
【００１２】
好ましくは、前記主体の頂部には収集口を広げる収集ロッドが設置され、前記収集ロッドには収集網が固定的に設置されている。
【００１３】
好ましくは、前記洗浄車輪は柔軟なウール製のであり、湿度が低く、前記送水スポンジの加水量が小さく、前記主体の両側には水を受けられる水受け皿が固定的に設置されている。
【００１４】
好ましくは、前記拭きスポンジは軟質の刷毛である。
【００１５】
好ましくは、前記ラチェット歯車の作動は間欠的である。
【発明の効果】
【００１６】
本発明の有益な効果は：本装置は人がトレーニングした後にバスケットボールは散らかる問題を効果的に解決でき、シュート式の収集装置は運動したスポーツ選手がバスケットボールを自覚的に本装置の中に投げ込むようにさせ、人の体力を省くと同時にバスケットボールを収集する趣味性を高くし、バスケットボールを洗浄と収集すると同時にバスケットボールコートの床にある埃やゴミを掃除して整備でき、それによって人でバスケットボールを収集と洗浄する時間を有効的に縮め、省力できる。
【図面の簡単な説明】
【００１７】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明の屋内バスケットボールコート用のバスケットボールを自動で洗浄して並べる装置の全体全断面の正面構成概略図
【図２】図２は本発明の図１の中の後側の断面図
【図３】図３は本発明の図１の中のＡ―Ａところの断面図
【図４】図４は本発明の図１の中のＢ―Ｂところの断面図
【図５】図５は本発明の図１の中のＣ―Ｃところの断面図
【発明を実施するための形態】
【００１９】
本説明書に開示したすべての特徴、または開示したすべての方法または過程中のステップは、互いに排斥する特徴と／またはステップ以外に、いずれもあらゆる方式で組み合わせることができる。
【００２０】
本説明書（いかなる追加の特許請求項と摘要と付図を含む）に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００２１】
図１〜５を参照し、本発明の実施例の屋内バスケットボールコート用のバスケットボールを自動で洗浄して並べる装置は、主体２１を含み、前記主体２１の中には洗浄空間２７が設置され、前記洗浄空間２７の左右側壁には貯水空間２２が対称的に設置され、前記洗浄空間２７の底部には排水できる排水空間７６が対称的に設置され、前記洗浄空間２７の底壁にはプーリ空間２９が設置され、前記プーリ空間２９の下側には歯車空間４４が設置され、前記歯車空間４４の右側にはラチェット歯車空間３１が設置され、前記歯車空間４４と前記洗浄空間２７との中にはバスケットボールを洗浄できる洗浄装置１０１が設置され、前記洗浄装置１０１は前記歯車空間４４の底壁に固定的に装着された伝動モーター３８を含み、前記伝動モーター３８には伝動ロッド３５が伝動できるように連結され、前記伝動ロッド３５が前記歯車空間４４の頂壁と回転できるように連結され、前記伝動ロッド３５の頂側には第一歯車４５が固定的に設置され、前記歯車空間４４の左側頂壁と前記プーリ空間２９の底壁との間には洗浄長ロッド５０が回転できるように連結され、前記洗浄長ロッド５０が上方に前記プーリ空間２９を貫通して前記洗浄空間２７の中に入り、且つ前記洗浄空間２７の上下側壁と回転できるように連結され、前記洗浄長ロッド５０の下側には前記第一歯車４５と噛み合った第二歯車４３が固定的に設置され、前記洗浄長ロッド５０の中部には第一ベルトプーリ７９が固定的に設置され、前記プーリ空間２９の底壁と前記洗浄空間２７の頂壁との間には前記洗浄長ロッド５０と相対した洗浄短ロッド２８が回転できるように連結され、前記洗浄短ロッド２８が上方に前記プーリ空間２９の頂壁を貫通して前記洗浄空間２７の中に入り、且つ前記洗浄空間２７の頂壁と回転できるように連結され、前記洗浄短ロッド２８の下側には前記第一ベルトプーリ７９と相対した第二ベルトプーリ４９が設置され、前記第二ベルトプーリ４９と前記第一ベルトプーリ７９との間にはベルト７８が連結され、前記洗浄長ロッド５０と前記洗浄短ロッド２８との上側にはそれぞれ対称の洗浄車輪２６が固定的に設置され、前記貯水空間２２と前記洗浄空間２７との間には送水スポンジ２３が左右対称的に設置され、前記送水スポンジ２３が前記洗浄車輪２６と接触して前記洗浄車輪２６に洗浄剤を輸送でき、前記洗浄空間２７の底壁には伝送空間３０が連通するように設置され、前記伝送空間３０の後側にはバスケットボールを並べられる並べ空間４６が設置され、前記伝送空間３０の右側には前記並べ空間４６に連通した伝送口６７が設置され、前記並べ空間４６と前記ラチェット歯車空間３１との間にはバスケットボールを送り出せる伝送装置１０２が設置され、前記歯車空間４４の左側には圧力かけ空間４２が設置され、前記圧力かけ空間４２の下側には開口空間６８が設置され、前記圧力かけ空間４２と前記開口空間６８との間には床にある埃やゴミを掃除できる拭き装置１０３が設置され、前記開口空間６８の左右両側には互いに対称の第一ローラー空間６４が設置され、前記主体２１の底部の後側には転向ブロック６０が設置され、前記転向ブロック６０の中には本装置の移動を制御できる転向装置１０４が設置され、前記転向ブロック６０の前側の底部には本装置の運動を駆動できる駆動装置１０５が設置されている。
【００２２】
また、一つの実施例の中に、前記伝送装置１０２はラチェット歯車モーター３２と、ラチェット歯車ロッド８０と、貫通ロッド３４と、ラチェット歯車３３と、並べロッド４７と、出口８２と、短ロッド８１と、伝送プーリ４８とによって構成され、前記ラチェット歯車空間３１の後側壁には前記ラチェット歯車モーター３２が固定的に装着され、前記ラチェット歯車３２には前記ラチェット歯車ロッド８０が伝動できるように連結され、前記ラチェット歯車空間３１の前後側壁には前記貫通ロッド３４が回転できるように連結され、前記貫通ロッド３４が後方に前記ラチェット歯車空間３１の後側壁を貫通して前記並べ空間４６に入り、且つ前記並べ空間４６の前後側壁と回転できるように連結され、前記ラチェット歯車ロッド８０と前記貫通ロッド３４との間には前記貫通ロッド３４の回転を駆動できる前記ラチェット歯車３３が設置され、前記並べ空間４６の中にはバスケットボールを並べられる前記並べロッド４７が固定的に設置され、前記並べ空間４６の右側にはバスケットボールを送り出す前記出口８２が設置され、前記並べ空間４６の前後側壁には前記貫通ロッド３４と回転できるように連結された対称の前記短ロッド８１が回転できるように連結され、前記貫通ロッド３４と前記短ロッド８１とにはそれぞれ第三ベルトプーリ６９が設置され、二つの前記第三ベルトプーリ６９の間には前記伝送プーリ４８が連結され、バスケットボールは前記伝送口６７によって前記並べロッド４７に落ち、且つ前記並べ空間４６の底部にスライドし、バスケットボールを使う時に、前記出口８２を押すことで、前記ラチェット歯車モーター３２を始動し、それによって前記ラチェット歯車ロッド８０を連動させ、それによって前記ラチェット歯車３３を連動させ、それによって前記貫通ロッド３４と、前記伝送プーリ４８とを回転連動させ、さらにバスケットボールを前記出口８２によって送り出す。
【００２３】
また、もう一つの実施例の中に、前記拭き装置１０３は固定ロッド７４と、固定板７１と、拭きスポンジ７２と、ウォーム４１と、ウォームホイール４０と、第二傘歯車３７と、貫通空間７３と、ホース３６とによって構成され、前記開口空間６８の頂壁には前記固定ロッド７４が左右対称的に、且つ固定的に装着され、前記固定ロッド７４の下側には前記固定板７１が連結され、前記固定板７１が前記伝動ロッド３５と回転できるように連結され、前記伝動ロッド３５の底側には床にある埃やゴミを掃除できる前記拭きスポンジ７２が固定的に連結され、前記拭きスポンジ７２が前記固定板７１とスライドできるように連結され、前記歯車空間４４の左側壁と前記圧力かけ空間４２の右側壁との間には前記ウォーム４１が回転できるように連結され、前記ウォーム４１の左側には前記圧力かけ空間４２とスライドできるように連結された前記ウォームホイール４０がネジ山によって連結され、前記ウォーム４１の右側には第一傘歯車３９が固定的に設置され、前記伝動ロッド３５の中部には前記第一傘歯車３９と噛み合った前記第二傘歯車３７が固定的に設置され、前記圧力かけ空間４２の右側には前記貫通空間７３が連通するように設置され、前記貫通空間７３と前記固定板７１との間には前記ホース３６が連結され、前記ホース３６が前記固定板７１を貫通して前記拭きスポンジ７２と連結され、前記伝動モーター３８を始動し、それによって前記伝動ロッド３５と、前記第二傘歯車３７と、前記第一傘歯車３９とを回転連動させ、それによって前記ウォームホイール４０を右方に移動連動させ、それによって洗浄剤を前記貫通空間７３と、前記ホース３６とによって前記拭きスポンジ７２に送り、前記伝動ロッド３５が回転することで、前記拭きスポンジ７２を回転連動させ、それによって床にある埃やゴミを掃除する目的を達成する。
【００２４】
また、もう一つの実施例の中に、前記転向装置１０４は転向モーター６６と、転向ロッド５１と、転向板６１と、第三歯車５２と、短ロッド５４と、第四歯車５３と、方向定めロッド５８と、第五歯車５９と、回転ロッド５５と、転向ローラー５７とによって構成され、前記主体２１の底側には前記転向モーター６６が固定的に装着され、前記転向モーター６６には前記転向ロッド５１が伝動できるように連結され、前記転向ロッド５１の中部には前記転向板６１が回転できるように連結され、前記転向ロッド５１の頂部には前記第三歯車５２が固定的に連結され、前記転向板６１の中部には前記短ロッド５４が固定的に連結され、前記短ロッド５４の頂部には前記第三歯車５２と噛み合った前記第四歯車５３が回転できるように連結され、前記転向ブロック６０の前側面には前記方向定めロッド５８が固定的に連結され、前記方向定めロッド５８が前記転向板６１と回転できるように連結され、前記方向定めロッド５８の頂部には前記第四歯車５３と噛み合った前記第五歯車５９が固定的に連結され、前記転向ブロック６０の底側面には第二ローラー空間５６が左右対称的に設置され、各前記第二ローラー空間５６の中には前記第二ローラー空間５６の左右側壁と回転できるように連結された前記回転ロッド５５が設置され、各前記回転ロッド５５には前記転向ローラー５７が固定的に設置され、装置は転向する時に、遠隔操作によって前記転向モーター６６に前記転向ロッド５１を旋転連動させ、それによって前記第三歯車５２と、前記第四歯車５３と、前記第五歯車５９とを回転連動させ、それによって前記第五歯車５９と、前記転向ブロック６０とを回転連動させ、それによって装置が転向する目的を達成する。
【００２５】
また、もう一つの実施例の中に、前記駆動装置１０５は動力モーター６２と、駆動長ロッド６３と、駆動ローラー６５とによって構成され、前記主体２１の底部には動力モーター６２が固定的に装着され、前記動力モーター６２には前記駆動長ロッド６３が伝動できるように連結され、前記駆動長ロッド６３の左右両側がそれぞれ片側へ伸びて対応した前記第一ローラー空間６４の中に入り、且つ前記第一ローラー空間６４の左右側壁と回転できるように連結され、前記駆動長ロッド６３の両側には互いに対称の前記駆動ローラー６５が固定的に連結され、装置は移動する時に、遠隔操作装置によって前記動力モーター６２を始動し、それによって前記駆動長ロッド６３と、前記駆動ローラー６５とを回転連動させ、それによって装置が移動する目的を達成する。
【００２６】
また、もう一つの実施例の中に、前記主体２１の頂部には収集口を広げる収集ロッド２４が設置され、前記収集ロッド２４には収集網２５が固定的に設置され、前記収集ロッド２４が伸縮でき、収集ロッドが必要がない時に縮まって占用された空間を減らすことができる。
【００２７】
また、もう一つの実施例の中に、前記洗浄車輪２６は柔軟なウール製のであり、湿度が低く、前記送水スポンジ２３の加水量が小さく、前記主体２１の両側には水を受けられる水受け皿７５が固定的に設置されている。
【００２８】
また、もう一つの実施例の中に、前記拭きスポンジ７２は軟質の刷毛であり、それによって床への損害を最大限に減らす。
【００２９】
また、もう一つの実施例の中に、前記ラチェット歯車３３の作動は間欠的であり、前記ラチェット歯車３３は一つの周期に作動し、外部に一つのバスケットボールを送り出せる。
【００３０】
屋内バスケットボールコート用のバスケットボールを洗浄して並べて洗浄する時に、動力モーター６２を始動し、動力モーター６２によって前輪を駆動することで本装置の運動を駆動し、転向する時に遠隔操作で転向モーター６６に転向ブロック６０を転向連動させ、それによって本装置をバスケットボールの散らかっているところに移動させ、装置が移動する期間に伝動モーター３８を始動し、それによって伝動ロッド３５と、拭きスポンジ７２とを回転連動させ、それと同時に第一傘歯車３９とウォーム４１とが回転し、それによってウォームホイール４０を右方に移動連動させ、それによって洗浄剤をホース３６によって拭きスポンジ７２に押し出し、それによってより良い洗浄効果を果たし、その後、スポーツ選手はシュートする方式によってバスケットボールを収集網２５の中に投げ込み、伝動ロッド３５の伝動を通じて洗浄長ロッド５０を回転連動させ、それによって並べ空間４６と、第二ベルトプーリ４９と、洗浄短ロッド２８とを回転連動させ、それによって洗浄車輪２６を回転連動させ、バスケットボールを洗浄でき、その後、バスケットボールは伝送空間３０と、伝送口６７とを通って並べ空間４６の中に入り、それによって並べ空間４６の底部に落ち、バスケットボールを取り出す時に、転向ロッド５１を押すことで、ラチェット歯車モーター３２を作動連動させ、それによってラチェット歯車３３と、貫通ロッド３４とを回転連動させ、それによって伝送プーリ４８が回転し、それによって伝送プーリ４８を本装置から送り出し、この過程に、転向ロッド５１を一回押すと、ラチェット歯車３３が一つの周期運動し、それによって伝送プーリ４８を一つのスペース回転連動させる。
【００３１】
本発明の有益な効果は：本装置は人がトレーニングした後にバスケットボールは散らかる問題を効果的に解決でき、シュート式の収集装置は運動したスポーツ選手がバスケットボールを自覚的に本装置の中に投げ込むようにさせ、人の体力を省くと同時にバスケットボールを収集する趣味性を高くし、バスケットボールを洗浄と収集すると同時にバスケットボールコートの床にある埃やゴミを掃除して整備でき、それによって人でバスケットボールを収集と洗浄する時間を有効的に縮め、省力できる。
【００３２】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【要約】
【課題】本発明は屋内バスケットボールコート用のバスケットボールを自動で洗浄して並べる装置を開示した。
【解決手段】
主体を含み、前記主体の中には歯車空間が設置され、前記歯車空間の右側にはラチェット歯車空間が設置され、前記歯車空間と前記洗浄空間との中にはバスケットボールを洗浄できる洗浄装置が設置され、前記主体の底部の後側には転向ブロックが設置され、前記転向ブロックの中には本装置の移動を制御できる転向装置が設置され、前記転向ブロックの前側の底部には本装置の運動を駆動できる駆動装置が設置され、本発明はバスケットボールを洗浄と収集すると同時にバスケットボールコートの床にある埃やゴミを掃除して整備でき、それによって人でバスケットボールを収集と洗浄する時間を有効的に縮め、省力できる。
【選択図】図１【図１】
0006754060.tif 000002
【図２】
0006754060.tif 000003
【図３】
0006754060.tif 000004
【図４】
0006754060.tif 000005
【図５】
0006754060.tif 000006